(57)【要約】【課題】  従来の胴皮用人工皮革は本物の皮とは異なる構造であるため、音の質に違和感があること。【解決手段】  本発明の三味線の胴皮用人工皮革２００では、三味線の木胴の表又は裏の開口部に展着する織布の表面のうちから音の抜け部２を構成する部位を除いた部分に、伸展性のある樹脂被膜１０を積層形成したことで、本物の皮に近い品質を得ることができた。長唄用三味線と津軽三味線に本皮と胴皮用人工皮革２００を張り、開放弦の音の周波数分析を行ったところ、両者は音色や減衰の態様が近似したものとなり、その差異を聞き分けるのは極めて困難であった。【選択図】  図８
2017219828.tif 000002
【特許請求の範囲】
【請求項１】
三味線等の木胴の表又は裏の開口部に展着する織布の全面に伸展性のある被膜を積層形成し且つ当該被膜の表面には研磨面が形成されることを特徴とする三味線等の胴皮用人工皮革。
【請求項２】
前記被膜は、シアノアクリレート系瞬間接着剤によって形成されることを特徴とする請求項１に記載の三味線等の胴皮用人工皮革。
【請求項３】
前記織布の面のうちから音の抜け部を構成する部位を除いた部分に、伸展性のある被膜を積層形成したことを特徴とする請求項１に記載の三味線等の胴皮用人工皮革。
【請求項４】
前記被膜は、酢酸ビニル樹脂であることを特徴とする請求項１又は３に記載の三味線等の胴皮用人工皮革。
【請求項５】
前記抜け部を構成する一部が、三味線等の弾き姿勢において木胴の上側に位置することを特徴とする請求項３又は４に記載の三味線等の胴皮用人工皮革。
【請求項６】
前記被膜は、三味線等の弾き姿勢において木胴の上側の厚さが、下側の厚さより薄いことを特徴とする請求項１〜５のいずれか一つに記載の三味線等の胴皮用人工皮革。
【請求項７】
三味線等の弾き姿勢において木胴の下側に位置する部分に膜で形成したガード部を設けたことを特徴とする請求項３〜６のうちいずれか一つに記載の三味線の胴皮用人工皮革。
【請求項８】
裏面に、キチンキトサンを混合した被膜を形成したことを特徴とする請求項１〜７のうちいずれか一つに記載の三味線等の胴皮用人工皮革。
【請求項９】
上記請求項１〜８のいずれか一つに記載の胴皮用人工皮革を、前記木胴に張り付けたことを特徴とする三味線。
【発明の詳細な説明】
【技術分野】
【０００１】
本発明は、人口皮革を用いた三味線等の胴皮用人口皮革及び三味線に関するものである。
【背景技術】
【０００２】
従来から特許文献１に記載されているような三味線等の胴皮用人工皮革が知られている。この胴皮用人工皮革は、絹織布に、植物性又は鉱物性の油脂分と、ゼラチン、ケラチン、シスチンなどの膠状物質を含浸させ、鞣して皮風にした構造である。この表面には、ウレタン、ポリエチレン、ナイロンなどの合成樹脂フィルムを貼着し、通気処理を施すこともできる。この胴皮用人工皮革を三味線の胴に展張することで、全面にわたり無数の通気孔が形成され、動物の皮に相当する音色を出すようにしている。
【先行技術文献】
【特許文献】
【０００３】
【特許文献１】特開平５−２７９９６６号公報
【発明の概要】
【発明が解決しようとする課題】
【０００４】
しかしながら、上記従来の胴皮用人工皮革は、全体にわたり無数の通気孔を設けるように三味線の胴に展着することから、音色が実際の猫や犬の皮革と比べて異なるという問題点があった。実際、猫や犬の皮革は、その部位により毛穴の大きさや数、厚さが異なっており、係る事情から三味線には小動物の皮革が良いと伝統的にされている。これは、三味線の音の抜けが毛穴の大きさや分布の存在によるからである。このため、上記従来の胴皮用人工皮革の場合は全体にわたり均一な通気孔を形成することから、好ましい音色を出す構造にはなっていない。本発明は、係る問題点を解決するためになされたものである。
【課題を解決するための手段】
【０００５】
本発明に係る三味線等の胴皮用人工皮革は、三味線等の木胴の表又は裏の開口部に展着する織布の全面に伸展性のある被膜を積層形成し且つ当該被膜の表面には研磨面が形成されることを特徴とする。また、前記織布の面のうちから音の抜け部を構成する部位を除いた部分に、伸展性のある被膜を積層形成しても良い。
【０００６】
また、前記被膜は、シアノアクリレート系瞬間接着剤によって形成される又は酢酸ビニル樹脂としても良い。更に、前記抜け部を構成する一部が、三味線等の弾き姿勢において木胴の上側に位置するようにしても良い。
【０００７】
また、三味線等の弾き姿勢において木胴の上側の厚さが、下側の厚さより薄くなるようにしても良い。更に、三味線等の弾き姿勢において木胴の下側に位置する部分に膜で形成したガード部を設けても良い。更に、裏面に、キチンキトサンを混合した被膜を形成しても良い。
【図面の簡単な説明】
【０００８】
【図１】この発明の実施の形態１に係る三味線等の胴皮用人工皮革を示す構成図である。
【図２】図１に示した胴皮用人工皮革の一部断面図である。
【図３】胴皮用人工皮革を三味線の木胴に張り付けた状態を示す説明図である。
【図４】被膜の形成の工程を示す説明図である。
【図５】胴皮用人工皮革を三味線の木胴に張り付ける工程を示す説明図である。
【図６】この発明の実施の形態２に係る三味線等の胴皮用人工皮革を示す構成図である。
【図７】図６に示した胴皮用人工皮革の一部断面図である。
【図８】胴皮用人工皮革を三味線の木胴に張り付けた状態を示す説明図である。
【図９】樹脂被膜の形成の工程を示す説明図である。
【図１０】胴皮用人工皮革を三味線の木胴に張り付ける工程を示す説明図である。
【図１１】この発明の実施の形態３に係る三味線等の胴皮用人工皮革を三味線の木胴に張り付けた状態を示す説明図である。
【図１２】前記ガード部の形成方法を示す説明図である。
【図１３】ガード部の形状の別の例を示す説明図である。
【図１４】この発明の実施の形態４に係る三味線等の胴皮用人工皮革を三味線の木胴に張り付けた状態を示す説明図である。
【図１５】図１４の一部断面図である。
【図１６】この発明の実施の形態５に係る三味線等の胴皮用人工皮革を三味線の木胴に張り付けた状態を示す説明図である。
【発明を実施するための形態】
【０００９】
（実施の形態１）
図１は、この発明の実施の形態１に係る三味線等の胴皮用人工皮革を示す構成図である。図２は、図１に示した胴皮用人工皮革の一部断面図である。図３は、胴皮用人工皮革を三味線の木胴に張り付けた状態を示す説明図である。この胴皮用人工皮革１００は、全体が織布３０で構成され、この織布３０の表面に被膜１を形成した構造である。
【００１０】
三味線５０は、各辺が外側に膨らみをもった略四角形状であり且つその内部が空洞となった木胴５１と、当該木胴５１の一部から直線状に延出した棹５２と、当該棹５２の先端に設けられ且つ３つの糸巻を有する天神（図示省略）とから構成される。前記木胴５１の表又は裏面の開口部５１ａには胴皮用人工皮革１００が張られ、その上に駒５４が設けられる。糸５５は、木胴５１の根緒５３から前記駒５４の上を渡されて棹５２の先の糸巻まで張られる。
【００１１】
前記織布３０は、平織、綾織、ドビー織、ジャガード織等から適宜選択できる。また、織布３０の糸には、絹糸、柞蚕糸、天蚕糸を用いることができる。織布３０の目の大きさは、木胴５１に展着したときの拡がりを考慮して素材毎、又は、織り毎に選定するものとする。
【００１２】
前記被膜１は、シアノアクリレート系瞬間接着剤により層形成する。例えば、人口大理石用の瞬間接着剤を前記織布３０の表面に塗布し、乾燥させてから研磨することで研磨面を形成する。当該研磨面を設けることで指が当たっても皮膚への負担が少なくて済む。このようにして形成した被膜１は、一定の伸展性を備えているので、後述するように、胴皮用人工皮革１００を木胴５１に張り付けた際にも当該被膜１に破れが生じ難く、本物の皮に近い質が得られる。なお、前記被膜１は、上記接着剤の他に、酢酸ビニル樹脂系エマルジョン形接着剤，ウレタン樹脂塗料又は紫外線硬化樹脂等によって形成してもよい。また、研磨方法は、平面研磨に通常用いられる方法が採用できる。例えば、バフ，サンドペーパー，研磨パッド，研磨布紙，遊離砥粒研磨剤等を適宜用いて行う。研磨面の平均粗さは、Ｒａ１．６ａ以下とするのが好ましい。
【００１３】
図４は、被膜の形成の工程を示す説明図である。まず同図（ａ）に示すように、所定の織布３０を木胴５１の外周縁形状と略相似形で且つ当該外周縁形状より大きめに切り出し、これを作業板の上に平に置く。続いて、同図（ｂ）に示すように、織布３０の表面に人口大理石用瞬間接着剤をローラ２１で均一に塗布し、乾燥させる。乾燥後、サンドペーパー等で塗布面を研磨する。
【００１４】
上記工程により、織布３０の目が被膜１により塞がれ、これにより小動物の皮の質を再現できる。また、被膜１の層の厚さにより音の質を調整することができる。具体的には、ローラ２１での塗布回数を多くし被膜１を厚く形成した場合（図２（ａ））には、音の質が丸くなり、塗布回数を減らし被膜１を薄く形成した場合（図２（ｂ））には、音の質が硬くなる。
【００１５】
また、胴皮用人工皮革１００の裏面に、キチンキトサンの粉末をシアノアクリレート系瞬間接着剤に混合し、層形成するようにしても良い。このキチンキトサン混入層の形成方法は、上記被膜１の形成方法と同じである。発明者の研究によれば、裏面にキチンキトサン混入層を形成することで、音がまろやかになることが確認されている。キチンキトサンとしては、フローナックＣ−６０Ｍ（日本水産株式会社  商品名）を用いるのが好ましい。
【００１６】
また、胴皮用人工皮革１００は着色しても良い。着色することで今までの伝統的な三味線のデザインをモダンなデザインにすることができる。第一に、顔料により着色する場合、生地に対して前処理として湯洗いを行い、カチオン化処理を行う。続いて、所定の比率で前処理剤を水に溶かして所定時間撹拌し且つ所定温度まで昇温させる。そして、その中に生地を投入して全体を撹拌し、生地を取出した後に当該生地を水洗いし、脱水する。その後、顔料からなる着色剤を所定比率で水に溶かし、その着色液の中に生地を投入する。そして、この着色液の温度を上げた状態で浸漬する。浸漬から所定時間経過後、生地を取り出し、水洗いを行う。水洗いが完了したら、再び着色された生地を、固着剤を入れた水の中に入れ、所定時間経過後に取出して脱水し、タンブラーで乾燥させる。その後、所定温度と時間をもって熱処理を行い、着色を固定する。
【００１７】
染料により着色する場合、まず、生地の汚れを洗剤で落とし、その洗剤を水洗いにより落とす。続いて、染料による着色剤を水に溶かして撹拌し、所定のｐｈになるまで調整する。そして、この着色液を昇温させてから前記生地を入れ、撹拌する。所定時間撹拌後、生地を取り出して水洗いし、乾燥させる。
【００１８】
このようにして着色すると、従来の動物の皮では作れないような色鮮やかな色彩の胴皮となる。なお、これらの着色は、インクジェットにより行うようにしても良い。
【００１９】
図５は、胴皮用人工皮革を三味線の木胴に張り付ける工程を示す説明図である。本発明は、三味線５０の木胴５１の表及び裏の開口部５０ａに、前記動物の皮の代わりに上記胴皮用人工皮革１００を張り付けた構造である。胴皮用人工皮革１００の周縁に接着剤を塗布し木胴５１の開口部５０ａの端周縁に張り付ける。
【００２０】
張り付けの際に胴皮用人工皮革１００が引っ張られることで、生地の目が拡がることになるが、被膜１が伸展性を有することから、生地の目は完全に開口するのではなく、被膜１により閉じた状態を維持する。これにより、胴皮用人工皮革１００が好ましい状態で振動する。即ち、目が開いた状態で振動させると糸５５が振動している状態となり、空間に十分な振動を伝えることができないが、本発明に係る胴皮用人工皮革１００であれば、織布３０の目の部分は被膜１により閉じているので、空間に生地全体の面振動を伝えることになる。それにより、音の質は本物の皮に近いものとなる。
【００２１】
更に、三味線５０の弾き姿勢において木胴５１上側Ｕ１（換言すれば、糸５５より弾き姿勢で上側）の被膜１の厚さを、下側Ｕ２の被膜１の厚さよりも薄くするようにしても良い。このようにすれば、薄い部分で抜けの良い音が得られる。厚さの差は、接着剤等の塗布量により調整すれば良い。具体的には、ローラによる塗布回数を増やすことで実施できる。厚さの分布は、本物の皮の一般的な厚さの差に準じて決定する。このようにすれば、より本物の皮に近い音が得られるようになる。
【００２２】
また、胴皮用人工皮革１００は、被膜１の厚さだけでなく、極微細な孔を設けても良い。当該孔により音の質を調整することができる。例えば直径０．６０ｍｍ〜０．０２ｍｍの孔を胴皮用人工皮革１００に複数設けることで、音の質の調整を行う。具体的には、直径０．１８ｍｍの孔を木胴５１の上側Ｕ１に複数設けることで、内部の音が外部に出やすくなる（図示省略）。そして、この複数の孔は、本物の皮の毛穴が分布する領域に相当する領域を形成することから、本物の皮を振動させたときの状態と同じような状態を再現できるようになり、より本物の皮に近い音を再現できるようになる。
【００２３】
本出願人は、上記製造方法により製作した胴皮用人工皮革１００を三味線５０に張り付けた状態で本物の皮との音の差を実験により検証した。具体的には、長唄用三味線と津軽三味線に本皮と胴皮用人工皮革１００を張り、開放弦の音の周波数分析を行った。使用する糸５５は同じものとした。その結果、両者は音色や減衰の態様が近似したものとなり、その差異を聞き分けるのは極めて困難であった。
【００２４】
（実施の形態２）
図６は、この発明の実施の形態２に係る三味線等の胴皮用人工皮革を示す構成図である。図７は、図６に示した胴皮用人工皮革の一部断面図である。図８は、胴皮用人工皮革を三味線の木胴に張り付けた状態を示す説明図である。この胴皮用人工皮革２００は、全体が織布３０で構成され、この織布３０の表面に樹脂被膜１０を形成すると共に、その一部に抜け部２を構成する部位が形成された構造である。実施の形態１と同じ構成要件には同じ番号を付し、その説明を省略する。
【００２５】
前記抜け部２は、他の領域３との比較において通気性が高い領域である。この通気性は、他の領域３は一様に膜が形成され空気が通らない状態であるのに対し、抜け部２では織布３０の目が展着の際に開くことにより大きくなって通気性が高くなっている状態をもって確保される。また、他の領域３に微小の孔が存在する場合でも、当該抜け部２の孔が他の領域３の孔よりも大きい又は孔の数が多いことによって、通気性が確保される。
【００２６】
樹脂被膜１０は、酢酸ビニル樹脂系エマルジョン形接着剤により酢酸ビニル樹脂層として形成する。当該樹脂被膜１０は、例えば水性の木工ボンドを表面に塗布して乾燥させることで形成する。このようにして形成した樹脂被膜１０は、一定の伸展性を備えているので、後述するように、胴皮用人工皮革２００を木胴５１に張り付けた際にも当該樹脂被膜１０に破れが生じ難く、本物の皮に近い質が得られる。なお、前記樹脂被膜１０は、上記接着剤の他に、ウレタン樹脂塗料又は紫外線硬化樹脂等によって形成してもよい。
【００２７】
図９は、樹脂被膜の形成の工程を示す説明図である。まず同図（ａ）に示すように、所定の織布３０を木胴５１の外周縁形状と略相似形で且つ当該外周縁形状より大きめに切り出し、これを作業板の上に平に置く。続いて、同図（ｂ）に示すように、織布３０のうち抜け部２を形成したい部分に、当該抜け部２の形状を模った型紙２０を仮接着する。この抜け部２は、猫や犬の本革のうち、他の領域３に比べて、脇部等の大きめの毛穴が分布する領域に相当するものである。この状態で、同図（ｃ）に示すように、織布３０の表面に木工用ボンドをローラ２１で均一に塗布し、乾燥させる。乾燥後、同図（ｄ）に示すように、前記型紙２０を取り外す。
【００２８】
上記工程により、織布３０の一部に樹脂被膜１０が形成されていない「抜け部２」が形成され且つその他の部分３において織布３０の目が樹脂被膜１０により塞がれる。これによって小動物の皮のように、大きな毛穴の分布する領域（脇部分等）による抜け部２が再現され、且つ、全体として本物の皮の質を再現できる。また、小動物の皮は部位によりその厚さが異なるため、重ね塗り等により樹脂被膜１０の塗布を一部で厚くなるようにし、実際の皮のような厚さの分布を再現することもできる。具体的には、木胴５１の糸５５に対して三味線５０の弾き姿勢で下側Ｕ２の厚さを、その上側Ｕ１の厚さより大きくする。このようにすれば、より本物の皮に近い質が得られる。
【００２９】
また、胴皮用人工皮革２００の裏面に、キチンキトサンの粉末を酢酸ビニル樹脂系エマルジョン形接着剤に混合し、酢酸ビニル樹脂層として形成するようにしても良い。この場合も、前記抜け部２には、当該酢酸ビニル樹脂層は形成しないようにする。このキチンキトサン混入層の形成方法は、上記樹脂被膜の形成方法と同じである。発明者の研究によれば、裏面にキチンキトサン混入層を形成することで、音がまろやかになることが確認されている。キチンキトサンとしては、フローナックＣ−６０Ｍ（日本水産株式会社  商品名）を用いるのが好ましい。
【００３０】
また、胴皮用人工皮革２００は着色しても良い。着色方法については、実施の形態１と同様なので説明を省略する。
【００３１】
図１０は、胴皮用人工皮革を三味線の木胴に張り付ける工程を示す説明図である。本発明は、三味線５０の木胴５１の表及び裏の開口部５０ａに、前記動物の皮の代わりに上記胴皮用人工皮革２００を張り付けた構造である。胴皮用人工皮革２００の周縁に接着剤を塗布し木胴５１の開口部５０ａの端周縁に張り付ける。この張り付けた状態で、前記抜け部２は、木胴５１の糸５５に対して三味線５０の弾き姿勢で上側Ｕ１かつ当該上側Ｕ１領域の略中央付近に位置する。
【００３２】
張り付けの際に胴皮用人工皮革２００が引っ張られることで、生地の目が拡がることになるが、樹脂被膜１０の伸展性が高いことから、生地の目は完全に開口するのではなく、樹脂被膜１０により閉じた状態を維持する。これにより、胴皮用人工皮革２００が好ましい状態で振動する。即ち、目が開いた状態で振動させると糸５５が振動している状態となり、空間に十分な振動を伝えることができないが、本発明に係る胴皮用人工皮革２００であれば、織布３０の目の部分は樹脂被膜１０により閉じているので、空間に生地全体の面振動を伝えることになる。これは、細かい毛穴を有する本物の皮に似た状態であり、よって音の質は本物の皮に近いものとなる。
【００３３】
また、胴皮用人工皮革２００を木胴５１に一定の張力をもって張り付けることで、前記樹脂被膜１０が形成されていない抜け部２の目が若干拡がり、内部の音が外部に出やすくなる。この抜け部２は、上述のように、脇部等の大きめの毛穴が分布する領域に相当する領域を形成することから、本物の皮を振動させたときの状態と同じような状態を再現できるようになり、より本来の音に近い音を再現できるようになる。
【００３４】
更に、三味線５０の弾き姿勢において木胴５１の上側Ｕ１の樹脂被膜１０の厚さを下側Ｕ２の樹脂被膜１０の厚さよりも薄くするようにしても良い。このようにすれば、薄い部分で抜けの良い音が得られる。厚さの差は、樹脂の塗布量により調整すれば良い。具体的には、ローラ２１による塗布回数を増やすことで実施できる。厚さの分布は、本物の皮の一般的な厚さの差に準じて決定する。このようにすれば、より本物の皮に近い音が得られるようになる。
【００３５】
本出願人は、上記製造方法により製作した胴皮用人工皮革２００を三味線５０に張り付けた状態で本物の皮との音の差を実験により検証した。具体的には、長唄用三味線と津軽三味線に本皮と胴皮用人工皮革２００を張り、開放弦の音の周波数分析を行った。使用する糸５５は同じものとした。その結果、両者は音色や減衰の態様が近似したものとなり、その差異を聞き分けるのは極めて困難であった。
【００３６】
（実施の形態３）
図１１は、この発明の実施の形態３に係る三味線等の胴皮用人工皮革を三味線の木胴に張り付けた状態を示す説明図である。この三味線５０aは、実施の形態２に係る三味線５０と略同一であるが、胴皮用人工皮革２００の一部にガード部２０１を設けた点に特徴がある。その他の構成要件は実施の形態２と同一であるためその説明を省略する。このガード部２０１は、シアノアクリレート系瞬間接着剤により層形成するものとする。ガード部２０１は、胴皮用人工皮革２００のうち、バチの当たる場所に形成するものとする。具体的には、ガード部２０１は、胴皮用人工皮革２００を木胴５１の表及び裏の開口部５１ａに貼り付けた状態で、木胴５１の糸５５に対して三味線５０aの弾き姿勢で下側Ｕ２かつ中央から棹５２にかけて位置する。なお、このガード部２０１の大きさや位置は、三味線の種類によって適宜設定できるものであり、同図に示したのは津軽三味線である。津軽三味線の場合、演奏中のバチの移動があるため、比較的大きめのガード部２０１を形成する必要がある。
【００３７】
図１２は、前記ガード部２０１の形成方法を示す説明図である。まず、実施の形態２と同様に所定の織布３０に樹脂被膜１０を形成すると共に前記抜け部２を形成しておく。次に、同図（ａ）に示すように、机上に広げて置いた織布３０に対してガイドプレート６０を載せ、仮固定する。ガイドプレート６０は、プラスチック製の板からなり、ガード部２０１を形成する部分に切欠き部６０aを設けた構造である。切欠き部６０aは、実際のガード部２０１より大きめに設けられる。
【００３８】
次に、同図（ｂ）に示すように、形成したガード部２０１の端を画定する。前記切欠き部６０aと織布３０との間に渡るようにしてマスキングテープ６１を貼り付ける。このマスキングテープの端６１aがガード部の端２０１aを構成するように、コの字形状に貼り付けるものとする。そして、このマスキングテープ６１の内側に、シアノアクリレート系瞬間接着剤を塗布し、所定時間かけて硬化させる。硬化した後、マスキングテープ６１を付けたまま、目の細かい紙やすりやバフ研磨で表面を研磨し、ガード部２０１の表面を平滑化するのが好ましい。これにより、指が当たっても皮膚への負担が少なくて済む。研磨面の平均粗さは、Ｒａ１．６ａ以下とするのが好ましい。最後に、同図（ｃ）に示すように、ガイドプレート６０を織布３０から取り外すと、ガード部２０１が形成される。
【００３９】
図１３は、ガード部の形状の別の例を示す説明図である。ガード部３０１は、三味線の種類により様々な形状を選択できるものとし、同図に示したのは、長唄の三味線である。長唄の三味線はバチの移動が少ないことから、バチが胴皮用人工皮革２００の特定の場所に集中して当たることになる。具体的には、木胴５１の糸５５に対して三味線５０aの弾き姿勢で下側Ｕ２かつ棹５２側に位置する。ガード部３０１の形成方法や素材ないし構造は、前記ガード部２０１と同じである。
【００４０】
以上から、この実施の形態３に係る三味線５０aは、ガード部を設けることによりバチによる胴皮用人工皮革２００の損傷を防止できる。また、指の保護にも役立つものとなる。
【００４１】
（実施の形態４）
図１４は、この発明の実施の形態４に係る三味線等の胴皮用人工皮革を三味線の木胴に張り付けた状態を示す説明図である。この三味線５０ｂは、実施の形態３に係る三味線５０aと略同一であるが、胴皮用人工皮革２００の一部に指の保護構造４０１を形成した点に特徴がある。その他の構成要件は実施の形態３と同一であるためその説明を省略する。この保護構造４０１を形成するには、織布としてナイロン等の化繊の織布７０を用い、この織布７０に対して半田ごて等により所定位置を加熱する。これにより、織布７０が柔らかくなって、図１５の一部断面図に示すように、緩みが形成される。この緩みにより指が当たっても指への負担が緩和されるので、演奏時の指と胴皮用人工皮革２００との摩擦な衝撃を緩和して、指を保護できる。
【００４２】
保護構造４０１の範囲は、少なくとも三味線の種類に合わせて、指が胴皮用人工皮革２００に当たる部分に設定するものとする。緩みの程度も、演奏者の技量や特徴に合わせて適宜設定するようにしても良い。また、加熱の方法は半田ごての他、ヒーター等の既知の技術を用いることができる。
【００４３】
（実施の形態５）
図１６は、この発明の実施の形態５に係る三味線等の胴皮用人工皮革を三味線の木胴に張り付けた状態を示す説明図である。この三味線５０ｃは、実施の形態３に係る三味線５０aと略同一であるが、胴皮用人工皮革２００と木胴５１との接着に用いる接着剤が織布の広範囲５０１にはみ出した点に特徴がある。このため、樹脂被膜１０が省略される。その他の構成要件は実施の形態３と同一であるためその説明を省略する。
【００４４】
このように、樹脂被膜１０の機能を、はみ出した接着剤により代替しても良い。胴皮用人工皮革２００と木胴５１とはシアノアクリレート系瞬間接着剤により接着される。このとき、織布３０に接着剤が滲みだして胴皮用人工皮革２００の裏面の広範囲５０１を覆うことになる。また、胴皮用人工皮革２００にはガード部２０１が形成されている。これにより、実質的に抜け部２ａが木胴５１の糸５５に対して三味線５０ｃの弾き姿勢で上側Ｕ１に形成されることになる。このようにしても、実施の形態２及び３と同様の作用効果を得ることができる。
【００４５】
以上、本願発明の実施の形態について説明したが、本願はこれに限定されるものではない。すなわち、上記実施の形態では三味線を用いて説明をしたが、本願発明は類似の楽器についても適用可能である。具体的には、三線，三弦，二胡，胡弓，サロッド，バンジョー，タール等にも適用可能である。
【符号の説明】
【００４６】
１  被膜
２  抜け部
３  他の領域
１０  樹脂被膜
３０  織布
５０  三味線
２０１  ガード部
４０１  保護構造
【図１】
2017219828.tif 000003
【図２】
2017219828.tif 000004
【図３】
2017219828.tif 000005
【図４】
2017219828.tif 000006
【図５】
2017219828.tif 000007
【図６】
2017219828.tif 000008
【図７】
2017219828.tif 000009
【図８】
2017219828.tif 000010
【図９】
2017219828.tif 000011
【図１０】
2017219828.tif 000012
【図１１】
2017219828.tif 000013
【図１２】
2017219828.tif 000014
【図１３】
2017219828.tif 000015
【図１４】
2017219828.tif 000016
【図１５】
2017219828.tif 000017
【図１６】
2017219828.tif 000018